【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
夫々が無線基地局に関係付けられた複数のセル領域をもち、アップリンクとダウンリンクのスロットが同じ搬送波周波数で送信される時分割複信（ＴＤＤ）無線ネットワークにおいて利用可能な構成設定ノードに実装される方法であって、各セル領域では、複数の移動体端末が複数の基地局の少なくとも１つと無線インタフェースにより通信をし、前記複数の移動体端末は対応する隣接セルから受信するダウンリンク信号についてダウンリンク送信測定のために構成設定されたタイムスロットの期間にモビリティに関係した測定を行い、
前記構成設定ノードに実装される方法は、
入力情報を受信する工程と、
前記受信した入力情報に基づいて、モビリティに関係した測定タイムスロットの構成設定情報を決定する工程と、
前記測定タイムスロットの構成設定情報を前記少なくとも１つの基地局に提供することにより、前記測定タイムスロットの構成設定情報が前記基地局から複数の移動体端末にシグナリングされるのを可能とする工程とを有することを特徴とする方法。
【請求項２】
前記入力情報は前記複数のセルの各々で用いられる１つ以上の搬送波の周波数を含み、
前記複数の基地局に提供される前記測定タイムスロットの構成設定情報は各搬送波周波数に対して少なくとも１つの測定タイムスロットを示すことを特徴とする請求項１に記載の方法。
【請求項３】
前記入力情報は、前記複数のセル領域の各々における各無線周波数搬送波におけるアップリンクとダウンリンクのタイムスロット割当てを含み、
前記複数の基地局に提供された測定タイムスロットの構成設定情報は、全てのセル領域における各搬送波周波数についての第１のダウンリンク測定タイムスロット数とこれらのセル領域の１つ以上のセル領域における各搬送波周波数についての第２のダウンリンク測定タイムスロット数とを示し、
前記第２のダウンリンク測定タイムスロット数は前記第１のダウンリンク測定タイムスロット数より大きいことを特徴とする請求項１又２に記載の方法。
【請求項４】
前記入力情報は、（１）各搬送波周波数についてのセルの最大送信バンド幅と、（２）各搬送波周波数についてのセルの最小送信バンド幅との内の１つ、或いは、その両方を含み、
前記複数の基地局に提供された測定タイムスロットの構成設定情報は、もし各セルで利用可能な送信バンド幅がバンド幅の閾値より大きいなら第１のダウンリンク測定スロット数を示し、もし各セルで利用可能な送信バンド幅は前記バンド幅の閾値以下であるなら第２のダウンリンク測定タイムスロット数を示し、
前記第２のダウンリンク測定タイムスロット数は前記第１のダウンリンク測定タイムスロット数より大きいことを特徴とする請求項１乃至３のいずれか１項に記載の方法。
【請求項５】
前記入力情報は無線条件情報を含み、
前記複数の基地局に提供された測定タイムスロットの構成設定情報は、もし前記無線条件情報が第１のドップラー速度と第１の遅延拡散とによって特徴付けられる第１の無線チャネル条件を反映するなら第１のダウンリンク測定タイムスロット数を示し、もし前記無線条件情報が第２のドップラー速度と第２の遅延拡散とによって特徴付けられる第２の無線チャネル条件を反映するなら第２のダウンリンク測定タイムスロット数を示し、
前記第２のダウンリンク測定タイムスロット数は前記第１のダウンリンク測定タイムスロット数より小さく、
前記第２の無線チャネル条件は前記第１の無線チャネル条件より高速であり、
前記第２のドップラー速度と第２の遅延拡散はそれぞれ、前記第１のドップラー速度と第１の遅延拡散より高速であることを特徴とする請求項１又は２に記載の方法。
【請求項６】
周期的なアイドルギャップの間に、複数の移動体端末は、各移動体端末に対するサービングセルにおけるのとは異なるダウンリンク搬送波周波数で動作する隣接セルからの基準信号についての周波数間測定を行い、
前記入力情報はアイドルギャップの周期情報を含み、
前記複数の基地局に提供された測定タイムスロットの構成設定情報は、もしアイドルキャップ発生の周期が閾値より大きいなら第１のダウンリンク測定タイムスロット数を示し、もし前記アイドルギャップ発生の周期が前記閾値以下であるなら第２のダウンリンク測定タイムスロット数を示し、
前記第２のダウンリンク測定タイムスロット数は前記第１のダウンリンク測定タイムスロット数より小さいことを特徴とする請求項１又は２に記載の方法。
【請求項７】
前記入力情報は、前記複数の移動体用の無線が周波数内測定或いは周波数間測定を行うものであることを示し、
前記複数の基地局に提供された測定タイムスロットの構成設定情報は、周波数内測定に関しては第１のダウンリンク測定タイムスロット数を示し、周波数間測定に関しては第２のダウンリンク測定タイムスロット数を示し、
前記第２のダウンリンク測定タイムスロット数は前記第１のダウンリンク測定タイムスロット数より小さいことを特徴とする請求項１又は２に記載の方法。
【請求項８】
前記入力情報は、前記複数の移動体用の無線が周波数内測定を行うものであるかどうかを示し、
前記複数の基地局に提供された測定タイムスロットの構成設定情報は、（１）もし周波数内測定が第１の閾値より広いバンド幅にわたって実行されるなら第１のダウンリンク測定タイムスロット数を示し、（２）もし周波数内測定が第２の閾値より狭いバンド幅にわたって実行されるなら第２のダウンリンク測定タイムスロット数を示し、
前記第２のダウンリンク測定タイムスロット数は前記第１のダウンリンク測定タイムスロット数より大きいことを特徴とする請求項１又は２に記載の方法。
【請求項９】
前記入力情報は、前記複数の移動体用の無線が周波数間測定を行うものであるかどうかを示し、
前記複数の基地局に提供された測定タイムスロットの構成設定情報は、（１）もし周波数間測定が第１の閾値より広いバンド幅にわたって実行されるなら第１のダウンリンク測定タイムスロット数を示し、（２）もし周波数間測定が第２の閾値より狭いバンド幅にわたって実行されるなら第２のダウンリンク測定タイムスロット数を示し、
前記第２のダウンリンク測定タイムスロット数は前記第１のダウンリンク測定タイムスロット数より大きいことを特徴とする請求項１又は２に記載の方法。
【請求項１０】
前記入力情報は、不連続受信（ＤＲＸ）サイクル情報を示し、
前記複数の基地局に提供された測定タイムスロットの構成設定情報は、周波数内測定に対しては第１のダウンリンク測定タイムスロット数を示し、周波数間測定に対しては第２のダウンリンク測定タイムスロット数を示し、
前記第２のダウンリンク測定タイムスロット数は前記第１のダウンリンク測定タイムスロット数より相対的に小さいことを特徴とする請求項１又は２に記載の方法。
【請求項１１】
前記入力情報は、基地局或いはセルの展開情報、或いは、セル計画変更情報を含み、
前記複数の基地局に提供された測定タイムスロットの構成設定情報は、前記基地局或いはセルの展開情報、或いは、前記セル計画変更情報に基づいた、異なるダウンリンク測定タイムスロット数を示すことを特徴とする請求項１乃至１０のいずれか１項に記載の方法。
【請求項１２】
前記入力情報は、測定を実行するために用いられるギャップパターンを含む無線リソース管理情報を含み、
前記複数の基地局に提供された測定タイムスロットの構成設定情報は、前記無線リソース管理情報に依存して変化することを特徴とする請求項１乃至１１のいずれか１項に記載の方法。
【請求項１３】
前記複数の基地局に提供された測定タイムスロットの構成設定情報は、前記複数の移動体端末が前記隣接セルの測定を行っている間の最適なダウンリンク測定タイムスロット数を示すことを特徴とする請求項１乃至１２のいずれか１項に記載の方法。
【請求項１４】
前記最適な数は、入力情報に依存して可変であることを特徴とする請求項１３に記載の方法。
【請求項１５】
前記構成設定ノードは、前記複数の基地局に接続された専用ノード、或いは、前記複数の基地局に接続された運用維持管理ノード、或いは、前記１つ以上の基地局の内の１つであることを特徴とする請求項１乃至１４のいずれか１項に記載の方法。
【請求項１６】
前記無線ネットワークはＥ−ＵＴＲＡＮであり、前記１つ以上の基地局はＸ２インタフェースを介して他の基地局に接続されており、前記Ｘ２インタフェースを介して前記入力情報を受信することを特徴とする請求項１５に記載の方法。
【請求項１７】
前記１つ以上の基地局は、前記Ｘ２インタフェースを介して前記他の基地局に１つ以上の測定タイムスロットをシグナリングすることを特徴とする請求項１６に記載の方法。
【請求項１８】
前記隣接セルからの前記測定は、基準シンボル受信電力（ＲＳＲＰ）のような信号強度測定と基準シンボル受信品質（ＲＳＲＱ）のような信号品質測定との内の少なくともいずれかの測定を含むことを特徴とする請求項１乃至１７のいずれか１項に記載の方法。
【請求項１９】
前記測定タイムスロットの構成設定情報はアイドルモードにおいて前記複数の移動体端末にシグナリングされることを特徴とする請求項１乃至１８のいずれか１項に記載の方法。
【請求項２０】
前記測定タイムスロットの構成設定情報は接続モードにおいて前記複数の移動体端末に専用或いは共用データチャネルを介してシグナリングされることを特徴とする請求項１乃至１９のいずれか１項に記載の方法。
【請求項２１】
前記測定タイムスロットは、サブフレームに対応することを特徴とする請求項１乃至２０のいずれか１項に記載の方法。
【請求項２２】
前記測定タイムスロットは、複数のシンボル或いは他の適切なタイムユニットで表現されることを特徴とする請求項１乃至２０のいずれか１項に記載の方法。
【請求項２３】
夫々が無線基地局（３０）に関係付けられた複数のセル領域（３２）をもち、アップリンクとダウンリンクスロットが同じ搬送波周波数で測定される時分割複信（ＴＤＤ）無線ネットワークにおいて利用可能な構成設定ノード（２０，３０’，３０）に実装される装置であって、各セル領域では、複数の移動体端末（３４）が複数の基地局の少なくとも１つと無線インタフェースにより通信をし、前記複数の移動体端末は対応する隣接セルから受信するダウンリンク信号についてダウンリンク送信測定のために構成設定されたタイムスロットの期間にモビリティに関係した隣接セル測定を行い、
前記装置は、
入力情報を受信するよう構成されたインタフェース（２２）と、
前記受信した入力情報に基づいて、モビリティに関係した測定タイムスロットの構成設定情報を決定するよう構成されたデータ処理回路（２４）と、
前記測定タイムスロットの構成設定情報を前記複数の基地局に送信することにより、前記測定タイムスロットの構成設定情報が前記基地局から複数の移動体端末にシグナリングできるよう構成された通信回路（２６）とを有することを特徴とする装置。
【請求項２４】
前記入力情報は前記複数のセル領域の各々で用いられる１つ以上の搬送波の周波数を含み、
前記複数の基地局に提供される前記測定タイムスロットの構成設定情報は各搬送波周波数に対して少なくとも１つの測定タイムスロットを示すことを特徴とする請求項２３に記載の装置。
【請求項２５】
前記入力情報は、前記複数のセル領域の各々における各無線搬送波周波数におけるアップリンクとダウンリンクのタイムスロット割当てを含み、
前記複数の基地局に提供された測定タイムスロットの構成設定情報は、全てのセル領域における各搬送波周波数についての第１のダウンリンク測定タイムスロット数とこれらのセル領域の１つ以上のセル領域における各搬送波周波数についての第２のダウンリンク測定タイムスロット数とを示し、
前記第２のダウンリンク測定タイムスロット数は前記第１のダウンリンク測定タイムスロット数より大きいことを特徴とする請求項２３又は２４に記載の装置。
【請求項２６】
前記入力情報は、各搬送波周波数についてのセルの最大送信バンド幅と、各搬送波周波数についてのセルの最小送信バンド幅との内の１つ、或いは、その両方を含み、
前記複数の基地局に提供された測定タイムスロットの構成設定情報は、もし各セルで利用可能な送信バンド幅がバンド幅の閾値より大きいなら第１のダウンリンク測定タイムスロット数を示し、もし各セルで利用可能な送信バンド幅が前記バンド幅の閾値以下であるなら第２のダウンリンク測定タイムスロット数を示し、
前記第２のダウンリンク測定タイムスロット数は前記第１のダウンリンク測定タイムスロット数より大きいことを特徴とする請求項２３乃至２５のいずれか１項に記載の装置。
【請求項２７】
前記入力情報は無線条件情報を含み、
前記複数の基地局に提供された測定タイムスロットの構成設定情報は、もし前記無線条件情報が第１のドップラー速度と第１の遅延拡散とによって特徴付けられる第１の無線チャネル条件を反映するなら第１のダウンリンク測定タイムスロット数を示し、もし前記無線条件情報が第２のドップラー速度と第２の遅延拡散とによって特徴付けられる第２の無線チャネル条件を反映するなら第２のダウンリンク測定タイムスロット数を示し、
前記第２のダウンリンク測定タイムスロット数は前記第１のダウンリンク測定タイムスロット数より小さく、
前記第２の無線チャネル条件は前記第１の無線チャネル条件より高速であり、
前記第２のドップラー速度と第２の遅延拡散はそれぞれ、前記第１のドップラー速度と第１の遅延拡散より高速であることを特徴とする請求項２３又は２４に記載の装置。
【請求項２８】
周期的なアイドルギャップの間に、複数の移動体端末は、各移動体端末に対するサービングセルにおけるのとは異なるダウンリンク搬送波周波数で動作する隣接セルからの基準信号についての周波数間測定を行い、
前記入力情報はギャップパターン情報を含み、
前記複数の基地局に提供された測定タイムスロットの構成設定情報は、もしアイドルキャップ発生の周期が閾値より大きいなら第１のダウンリンク測定タイムスロット数を示し、もし前記アイドルギャップ発生の周期が前記閾値以下であるなら第２のダウンリンク測定タイムスロット数を示し、
前記第２のダウンリンク測定タイムスロット数は前記第１のダウンリンク測定タイムスロット数より小さいことを特徴とする請求項２３又は２４に記載の装置。
【請求項２９】
前記入力情報は、前記複数の移動体用の無線が周波数内測定或いは周波数間測定を行うものであることを含み、
前記複数の基地局に提供された測定タイムスロットの構成設定情報は、周波数内測定に関しては第１のダウンリンク測定タイムスロット数を示し、周波数間測定に関しては第２のダウンリンク測定タイムスロット数を示し、
前記第２のダウンリンク測定タイムスロット数は前記第１のダウンリンク測定タイムスロット数より小さいことを特徴とする請求項２３又は２４に記載の装置。
【請求項３０】
前記入力情報は、前記複数の移動体用の無線が周波数内測定を行うものであるかどうかであることを含み、
前記複数の基地局に提供された測定タイムスロットの構成設定情報は、（１）もし周波数内測定が第１の閾値より広いバンド幅にわたって実行されるなら第１のダウンリンク測定タイムスロット数を示し、（２）もし周波数内測定が第２の閾値より狭いバンド幅にわたって実行されるなら第２のダウンリンク測定タイムスロット数を示し、
前記第２のダウンリンク測定タイムスロット数は前記第１のダウンリンク測定タイムスロット数より大きいことを特徴とする請求項２３又は２４に記載の装置。
【請求項３１】
前記入力情報は、前記複数の移動体用の無線が周波数間測定を行うものであるかどうかであることを含み、
前記複数の基地局に提供された測定タイムスロットの構成設定情報は、（１）もし周波数間測定が第１の閾値より広いバンド幅にわたって実行されるなら第１のダウンリンク測定タイムスロット数を示し、（２）もし周波数間測定が第２の閾値より狭いバンド幅にわたって実行されるなら第２のダウンリンク測定タイムスロット数を示し、
前記第２のダウンリンク測定タイムスロット数は前記第１のダウンリンク測定タイムスロット数より大きいことを特徴とする請求項２３又は２４に記載の装置。
【請求項３２】
前記入力情報は、不連続受信（ＤＲＸ）サイクル情報を含み、
前記複数の基地局に提供された測定タイムスロットの構成設定情報は、周波数内測定に対しては第１のダウンリンク測定タイムスロット数を示し、周波数間測定に対しては第２のダウンリンク測定タイムスロット数を示し、
前記第２のダウンリンク測定タイムスロット数は前記第１のダウンリンク測定タイムスロット数より相対的に小さいことを特徴とする請求項２３又は２４に記載の装置。
【請求項３３】
前記入力情報は、基地局或いはセルの展開情報、或いは、セル計画変更情報を含み、
前記複数の基地局に提供された測定タイムスロットの構成設定情報は、前記基地局或いはセルの展開情報、或いは、前記セル計画変更情報に基づいた、異なるダウンリンク測定タイムスロット数を示すことを特徴とする請求項２３乃至３２のいずれか１項に記載の装置。
【請求項３４】
前記入力情報は、測定を実行するために用いられるギャップパターンを含む無線リソース管理情報を含み、
前記複数の基地局に提供された測定タイムスロットの構成設定情報は、前記無線リソース管理情報に依存して変化することを特徴とする請求項２３乃至３３のいずれか１項に記載の装置。
【請求項３５】
前記測定タイムスロットの構成設定情報は、前記複数の移動体端末が前記隣接セルの測定を行っているべきである間の最適なダウンリンク測定タイムスロット数を示すことを特徴とする請求項２３乃至３４のいずれか１項に記載の装置。
【請求項３６】
前記最適な数は、入力情報に依存して可変であることを特徴とする請求項３５に記載の装置。
【請求項３７】
前記構成設定ノードは、前記複数の基地局に接続された専用ノードと前記複数の基地局に接続された運用及び維持管理ノードと前記１つ以上の基地局との内の１つとして実装されることを特徴とする請求項２３乃至３６のいずれか１項に記載の装置。
【請求項３８】
前記無線ネットワークはＥ−ＵＴＲＡＮであり、
前記１つ以上の基地局はＸ２インタフェースを介して他の基地局に接続されており、前記Ｘ２インタフェースを介して前記入力情報を受信することを特徴とする請求項３７に記載の装置。
【請求項３９】
前記１つ以上の基地局は、前記Ｘ２インタフェースを介して前記他の基地局に１つ以上の測定タイムスロットパラメータをシグナリングすることを特徴とする請求項３８に記載の装置。
【請求項４０】
前記隣接セル測定は、基準シンボル受信電力と搬送波受信信号強度を含むことを特徴とする請求項２３乃至３９のいずれか１項に記載の装置。
【請求項４１】
夫々が無線基地局（３０）に関係付けられた複数のセル領域（３２）をもち、アップリンクとダウンリンクのスロットが同じ搬送波周波数で送信される時分割複信（ＴＤＤ）無線ネットワークにおいて利用可能な方法であって、各セル領域では、複数の移動体端末（３４）が複数の基地局の少なくとも１つと無線インタフェースにより通信をし、前記複数の移動体端末は対応する隣接セルから受信するダウンリンク信号についてダウンリンク送信測定のために構成設定されたタイムスロットの期間にモビリティに関係した測定を行い、
前記方法は複数の基地局の１つに実装され、
モビリティに関係する測定タイムスロットの構成設定情報を受信する工程と、
前記モビリティに関係する測定タイムスロットの構成設定情報を前記１つの基地局に関係付けられたセル、或いは、前記１つの基地局に関係付けられたセルの近傍にいる複数の移動体端末に送信する工程とを有することを特徴とする方法。
【請求項４２】
変更されたモビリティに関係する測定タイムスロットの構成設定情報を受信する工程と、
前記変更されたモビリティに関係する測定タイムスロットの構成設定情報を前記１つの基地局に関係付けられたセル、或いは、前記１つの基地局に関係付けられたセルの近傍にいる複数の移動体端末に送信する工程とをさらに有することを特徴とする請求項４１に記載の方法。